(57)【特許請求の範囲】
【請求項１】
情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣからなる普遍的データリンク（ＵＤＬ）フレームと、ＡＴＭセルとを混載して構成され、物理層に物理層フレームがない場合でも対応可能なように一定周期のデータリンク層および物理層共用フレームを用いていることを特徴とする通信装置。
【請求項２】
情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣからなる普遍的データリンク（ＵＤＬ）フレームを用いる伝送方式において、ＯＡＭパケット及びスタッフパケットを前記ＵＤＬパケットの間に隙間無く挿入することにより一定周期のデータリンク層および物理層共用フレームを構成し、自己同期型スクランブラを採用したことを特徴とする送信機。
【請求項３】
前記ＵＤＬパケットとＡＴＭセルを混載したデータリンク層および物理層共用フレームを使用して前記ＵＤＬパケットとＡＴＭセルを送信することを更に特徴とする請求項２に記載の送信機。
【請求項４】
前記データリンク層および物理層共用フレーム単位に収容するＵＤＬパケット及びＡＴＭセルに対し優先制御をおこなうことによりサービス品質を保証することを更に特徴とする請求項３に記載の送信機。
【請求項５】
情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣから成る普遍的データリンク（ＵＤＬ）フレームを用いる伝送方式において、上位レイヤから写像されてくる複数のＡＴＭセルをその優先順位に従って一時蓄積する第１の緩衝記憶器と、上位レイヤから写像されてくる複数のＵＤＬパケットをその優先順位に従って一時蓄積する第２の緩衝記憶器と、ＯＡＭ（保守・運用）パケット及びスタッフパケットを一時蓄積する第３の緩衝記憶器と、前記第１、第２の緩衝記憶器からクロックに従って読み出された前記ＡＴＭセル及びＵＤＬパケットを優先順位に従って順次網クロックに従ってセル／パケット多重するパケット多重化回路とを備え、該セル／パケット多重化回路において前記セル及びパケットを前記第１、第２の緩衝記憶器から読み出された順番に配列され、その隙間に前記第３の緩衝記憶器からのＯＡＭパケットまたはスタッフパケットを挿入されてある定められた周期のデータリンク層および物理層共用フレームが構成され、該構成されたフレームは自己同期型スクランブラによりランダマイズされることを特徴とした送信機。
【請求項６】
情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣから成る普遍的データリンク（ＵＤＬ）フレームを用いる伝送方式において、ＯＡＭパケット及びスタッフパケットを前記ＵＤＬパケットの間に隙間無く挿入することにより一定周期のデータリンク層および物理層共用フレームを構成し、自己同期型スクランブラによってランダマイズされたデータ列を受信し、該受信データ列からクロックを抽出し、該抽出クロックを元に自己同期型ディスクランブラにより元のデータリンク層および物理層共用フレームを再生することを特徴とした受信機。
【請求項７】
請求項２においてＵＤＬパケットとＡＴＭセルを混載したデータリンク層および物理層共用フレームを再生することを更に特徴とする請求項６に記載の送信機。
【請求項８】
情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣからなる普遍的データリンク（ＵＤＬ）フレームを用いる伝送方式において、受信したデータからクロックを抽出し該クロックを元にランダマイズされたデータから元のデータを再生する自己同期型ディスクランブラと、再生されたデータからＡＴＭセル、ＵＤＬパケット及びＯＡＭパケットをそれぞれ優先順位に従って分離しスタッフパケットを廃棄するセル／パケット分離器と、前記ＡＴＭセルを一時記憶する第４の緩衝記憶器と、前記ＵＤＬパケットを一時記憶する第５の緩衝記憶器と、前記ＯＡＭパケットを一時記憶する第６の緩衝記憶器とを有することを特徴とする受信機。
【発明の詳細な説明】
【０００１】
【発明の属する技術分野】
本発明は、本発明により初めて導入された普遍的データリンクプロトコールを用いた通信装置に関するものである。
【０００２】
現在の通信ネットワークにおいては、回線交換モード（Ｓｙｎｃｈｒｏｎｏｕｓ  Ｔｒａｎｓｆｅｒ  Ｍｏｄｅ：ＳＴＭ）、ＡＴＭ交換モード（Ａｓｙｎｃｈｒｏｎｏｕｓ  Ｔｒａｎｓｆｅｒ  Ｍｏｄｅ：ＡＴＭ）及びＩｎｔｅｒｎｅｔＰｒｏｔｏｃｏｌ（ＩＰ）が存在し、別々のネットワークが構築されている。
【０００３】
近年、ＷＤＭ（Ｗａｖｅｌｅｎｇｔｈ  Ｄｉｖｉｓｉｏｎ  Ｍｕｌｔｉｐｌｅｘｉｎｇ、波長分割多重）の発展に伴いこれら別々のネットワークを統一されたネットワークに組み替えることが現実のものとなってきた。
【０００４】
本発明はこれら別々のネットワークを一つのネットワークに統合するためには物理層とデータリンク層に共通に使用するフレーム構成が必要となることに着目したものである。
【０００５】
本発明は、本発明により新しく定義された普遍的データリンク：Ｕｎｉｖｅｒｓａｌ  Ｄａｔａ  Ｌｉｎｋ（ＵＤＬ）フレームとＡＴＭセルを混載することを特徴とする伝送方式において、物理層に物理層フレームが無い場合でも対応可能なように、仮想フレームを組み、更に、自己同期型スクランブルを採用することによる装置の実現方式に関する。
【０００６】
【従来の技術】
既存のネットワークは音声電話網を中心にした回線交換網及び専用線を用いたネットワークを中心にして構築されてきた。
【０００７】
しかしながら、近年、インターネットの急速な発展に伴いデータネットワーク、特にＩＰ（Ｉｎｔｅｒｎｅｔ  Ｐｒｏｔｏｃｏｌ）を用いたネットワークが急速に成長しており、音声回線を利用しモデムを用いたトラヒックの増加が回線交換システムの使用状況を圧迫する事態をもたらしている。
【０００８】
また、ＩＰデータは回線交換処理された後にはルータ（Ｒｏｕｔｅｒ）を用い専用線で構築されたＩＰ網で転送されている。
【０００９】
また、これらのデータ伝送に配慮したシステムとしてＡＴＭネットワークの構築も計られている。さらに、伝送システムもＳＯＮＥＴ／ＳＤＨの高速化並びにＤＷＤＭの導入により大容量化が計られている。
【００１０】
【発明が解決しようとする課題】
しかしながら、叙上のように、種々のハイテク要因が複雑に絡み合いながら、それぞれ独立のネットワークが構築されて運用されるに至った。その結果、ネットワークの構築、運用、保守を複雑ならしめているのが現状である。このような中でＳＴＭ、ＡＴＭ及びＩＰを単一のネットワークに収容することが不可欠になってきた。
【００１１】
また、ネットワークの高速化に柔軟に対応するための新たな仕組みが要求されるに至った。更にまた、メトロＷＤＭのように必ずしも物理層に物理層フレームが存在しないケースが考えられるようになった。
【００１２】
このような状況の中で、本発明者等は鋭意研究の結果、新しいデータリンクプロトコールのフレームであるＵＤＬを提案した。
【００１３】
本ＵＤＬに関しては、本出願と同一出願人により出願された先願の明細書に開示されている。
【００１４】
本発明は、従来の上記実情に鑑み、従来の技術に内在する上記要望を実現する為になされたものであり、従って本発明の目的は、上記ユニバーサルデータリンクＵＤＬを有効に利用するために仮想フレームという概念を導入し、更に自己同期型スクランブラの導入によりデータの透過性を保証することを可能とした新規な通信装置を提供することにある。
【００１５】
【課題を解決するための手段】
上記目的を達成する為に、本発明に係る通信装置は、情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ−５）バイトで構成され、該ペイロードフィールドは拡張ヘッダフィールドＥｘＨＥＤ、ペイロードデータフィールド及び誤り検出フィールドＰ−ＣＲＣからなる普遍的データリンク（ＵＤＬ）フレームと、ＡＴＭセルとを混載して構成され、物理層に物理層フレームがない場合でも対応可能なように一定周期の仮想フレーム（データリンク層および物理層共用フレーム）を用いていることを特徴としている。
【００１６】
本発明に係る送信機は、情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ  −５）バイトで構成され、該ペイロードフィールドは拡張ヘッダフィールドＥｘＨＥＤ、ペイロードデータフィールド及び誤り検出フィールドＰ−ＣＲＣからなる普遍的データリンク（ＵＤＬ）フレームを用いる伝送方式において、ＯＡＭパケット及びスタッフパケットを前記ＵＤＬパケットの間に隙間無く挿入することにより一定周期の仮想フレームを構成し、自己同期型スクランブラを採用したことを特徴としている。
【００１７】
本発明に係る送信機はまた、前記ＵＤＬパケットとＡＴＭセルを混載した仮想フレームを使用して前記ＵＤＬパケットとＡＴＭセルを送信することを特徴としている。
【００１８】
また本発明に係る送信機は、前記仮想フレーム単位に収容するＵＤＬパケット及びＡＴＭセルに対し優先制御をおこなうことによりサービス品質を保証することを特徴としている。
【００１９】
本発明に係る送信機はまた、情報通信ネットワークにおいて物理層とデータリンク層で共通に使用されるフレーム構成として、４バイトのＬｅｎｇｔｈフィールドＬＥＮと１バイトのＦｒａｍｅＩＤフィールドＦＩＤから構成される最短パケット長が５バイトで、最大パケット長がペイロードフィールの（２ＬＥＮ  −５）バイトで構成され、該ペイロードフィールドはヘッダフィールドＥｘＨＥＤ、ペイロードデータフィールド及び誤り検出フィールドＰ−ＣＲＣから成る普遍的データリンク（ＵＤＬ）フレームを用いる伝送方式において、上位レイヤから写像されてくる複数のＡＴＭセルをその優先順位に従って一時蓄積する第１の緩衝記憶器と、上位レイヤから写像されてくる複数のＵＤＬパケットをその優先順位に従って一時蓄積する第２の緩衝記憶器と、ＯＡＭ（保守・運用）パケット及びスタッフパケットを一時蓄積する第３の緩衝記憶器と、前記第１、第２の緩衝記憶器からクロックに従って読み出された前記ＡＴＭセル及びＵＤＬパケットを優先順位に従って順次網クロックに従ってセル／パケット多重するパケット多重化回路とを備え、該セル／パケット多重化回路において前記セル及びパケットを前記第２の緩衝記憶器から読み出された順番に配列され、その隙間に前記第３の緩衝記憶器からのＯＡＭパケットまたはスタッフパケットを挿入されてある定められた周期の仮想フレームが構成され、該構成された仮想フレームは自己同期型スクランブラによりランダマイズされることを特徴としている。
【００２０】
本発明に係る受信機は、情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ  −５）バイトで構成され、該ペイロードフィールドは拡張ヘッダフィールドＥｘＨＥＤ、ペイロードデータフィールド及び誤り検出フィールドＰ−ＣＲＣから成る普遍的データリンク（ＵＤＬ）フレームを用いる伝送方式において、ＯＡＭパケット及びスタッフパケットを前記ＵＤＬパケットの間に隙間無く挿入することにより一定周期の仮想フレームを構成し、自己同期型スクランブラによってランダマイズされたデータ列を受信し、該受信データ列からクロックを抽出し、該抽出クロックを元に自己同期型ディスクランブラにより元の仮想フレームを再生することを特徴としている。
【００２１】
本発明に係る受信機は、情報通信ネットワークにおいて物理層とデータリンク層で共通に使用されるフレーム構成として、ＬｅｎｇｔｈフィールドＬＥＮとＦｒａｍｅＩＤフィールドＦＩＤからなる４バイトとＦＨＥＣ１バイトから構成される最短パケットが５バイトで、最大パケットはＬＥＮ、ＦＩＤ及びＦＨＥＣからなるヘッダ部分５バイトとペイロードフィールドの（２ＬＥＮ  −５）バイトで構成され、該ペイロードフィールドは拡張ヘッダフィールドＥｘＨＥＤ、ペイロードデータフィールド及び誤り検出フィールドＰ−ＣＲＣから成る普遍的データリンク（ＵＤＬ）フレームを用いる伝送方式において、受信したデータからクロックを抽出し該クロックを元にランダマイズされたデータから元のデータを再生する自己同期型ディスクランブラと、再生されたデータからＡＴＭセル、ＵＤＬパケット及びＯＡＭパケットをそれぞれ優先順位に従って分離しスタッフパケットを廃棄するセル／パケット分離器と、前記ＡＴＭセルを一時記憶する第４の緩衝記憶器と、前記ＵＤＬパケットを一時記憶する第５の緩衝記憶器と、前記ＯＡＭパケットを一時記憶する第６の緩衝記憶器とを備えて構成される。
【００２２】
〔発明の概要〕
先ず、本発明に従って、基準クロックにより、一定周期の仮想フレーム（データリンク層および物理層共用フレーム）が構成され、この仮想フレームの中に複数個のＡＴＭセル及び複数個のユニバーサルデータリンクＵＤＬパケットが組み込まれ、更に最短長のユニバーサルデータリンクＵＤＬによって組み立てられるスタッフパケット（空またはアイドルパケット）が挿入される。このようにして一定周期の仮想フレームが隙間なく埋められる。
【００２３】
更に、送信側においては仮想フレームに組み込まれたデータは自己同期型スクランブラに送られてデータはランダマイズ（ｒａｎｄｏｍｉｚｅ）される。ランダマイズされたデータは適切な物理媒体を介して受信側に伝達される。
【００２４】
受信側においては、受信したデータからクロックを抽出し、このクロックの元に自己同期型ディスクランブラを用いてランダマイズされたデータから元のデータが再生され、仮想フレームが再生される。更にＡＴＭセルヘッダ誤り訂正（ＨＥＣ）検出によりセルが分離され、またＵＤＬフレームはフレームヘッダ誤り訂正（ＦＨＥＣ）によりフレームが分離される。また、スタッフパケットは廃棄される。
【００２５】
【発明の実施の形態】
次に、本発明をその好ましい一実施の形態について図面を参照しながら詳細に説明する。
【００２６】
図１は、本発明に係るユニバーサルデータリンクＵＤＬのフレーム構成を示す図、図２は本発明に係る仮想フレームの構成例を示す図である。また図３は本発明に係る通信装置の一実施の形態を示すブロック構成図である。
【００２７】
［実施の形態の構成］
図１を参照するに、本発明に係るユニバーサルデータリンクＵＤＬパケット１０は、ＬｅｎｇｔｈフィールドＬＥＮ１１とＦｒａｍｅＩＤフィールドＦＩＤ１２からなる４バイトとＦＨＥＣ１３  １バイトから構成される最短パケットが５バイトで、最大パケットはＬＥＮ１１、ＦＩＤ１２及びＦＨＥＣ１３からなるヘッダ部分５バイトとペイロードフィールドの（２ＬＥＮ  −５）バイトで構成され、このペイロードフィールドは拡張ヘッダフィールドＥｘＨＥＤ１５、ペイロード（Ｐａｙｌｏａｄ）データフィールド１４及び誤り検出フィールドＰ−ＣＲＣ１６で構成される可変長パケットである。
【００２８】
図１〜図３を参照するに、５３バイトで構成されるＡＴＭセル２１と最短パケットが５バイトの可変長パケットであるＵＤＬパケット１０から構成され、ＡＴＭセル２１はＨＥＣによりセルｄｅｌｉｎｅｔｉｏｎされ、ＵＤＬフレーム１０はＬｅｎｇｔｈ（ＬＥＮ）フィールドとＦＨＥＣによりパケットｄｅｌｉｎｅａｔｉｏｎされるＡＴＭセル２１とＵＤＬパケット１０が混載されるシステムにおいて、複数のＡＴＭセル２１を一時蓄積する緩衝記憶器ＦＩＦＯ１と、複数のＵＤＬパケット１０を一時蓄積する緩衝記憶器ＦＩＦＯ２と、ＯＡＭ（保守・運用）パケット及びスタッフパケット２２を一時蓄積する緩衝記憶器ＦＩＦＯ３とを備え、ＡＴＭセル２１及びＵＤＬパケット１０の優先順位に従って順次網クロック１００に従い読み出し、セル/パケット多重化回路１０１によってセル及びパケットを配列し、その隙間には緩衝記憶器ＦＩＦＯ３からのＯＡＭパケットまたはスタッフパケット２２を挿入し、ある定められた周期の仮想フレーム（Ｖｉｒｔｕａｌ  Ｆｒａｍｅ）（物理層及びデータリンク層共用フレーム）２０を構成し、構成された仮想フレーム２０を自己同期型スクランブラ１０２によりランダマイズする送信機と、受信側においては、受信したデータから、クロック１００を抽出し、このクロック１００の元に自己同期型ディスクランブラ２０１を用いてランダマイズされたデータから元のデータを再生し、再生されたデータはセル/パケット分離回路２０２によってＡＴＭセル２１、ＵＤＬパケット１０及びＯＡＭパケットにそれぞれ優先順位を保ちながら分離され、ＡＴＭセル２１はＦＩＦＯ４に、ＵＤＬパケット１０はＦＩＦＯ５に、そしてＯＡＭパケットはＦＩＦＯ６にそれぞれ出力される。
【００２９】
［実施の形態の動作］
次に、本発明による一実施の形態の動作について図面を参照しながら詳細に説明する。
【００３０】
ユニバーサルデータリンクＵＤＬ１０は、叙上の如く、Ｌｅｎｇｔｈ（ＬＥＮ）フィールド１１とＦｒａｍｅＩＤ（ＦＩＤ）フィールド１２からなる４バイトと、フレームヘッダエラー制御（ＦＨＥＣ）フィールド１３の１バイトで構成される最短パケット長が５バイトで、最大パケット長が２ＬＥＮ  である可変長パケットである。
【００３１】
ユニバーサルデータリンクＵＤＬのフレーム構成を図１に示す。
【００３２】
ＵＤＬパケット１０は、Ｌｅｎｇｔｈ（ＬＥＮ）フィールド１１とＦＨＥＣフィールド１３によりパケットｄｅｌｉｎｅａｔｉｏｎ（パケットの分離をよくする）される。
【００３３】
一方、ＡＴＭセル２１は、５３バイトで構成され、ＡＴＭセルヘッダ誤り制御ＨＥＣフィールドによりセルｄｅｌｉｎｅａｔｉｏｎされる。
【００３４】
送信側においては、ＡＴＭセル２１とＵＤＬパケット１０が混載されスクランブルされる。
【００３５】
先ず、複数のＡＴＭセル２１を一時蓄積する緩衝記憶器ＦＩＦＯ１により上位レイヤから写像されてくるＡＴＭセル２１はその優先順位に従い一時格納され、複数のＵＤＬパケット１０を一時蓄積する緩衝記憶器ＦＩＦＯ２により上位レイヤから写像されてくるＵＤＬパケット１０はその優先順位に従い一時格納され、ＯＡＭ（保守・運用）パケット及びスタッフパケット２２を一時蓄積する緩衝記憶器ＦＩＦＯ３によりＯＭＡパケット、スタッフパケット２２は一時格納され、緩衝記憶器ＦＩＦＯ１、ＦＩＦＯ２、ＦＩＦＯ３に格納された各パケットはそれぞれセル/パケット多重化回路（Ｃｅ１１  Ｐａｃｋｅｔ  ＭＵＸ）１０１からくるクロック（Ｎｅｔｗｏｒｋ  Ｃｌｏｃｋ）１００に従って読み出される。
【００３６】
読み出されたＡＴＭセル２１及びＵＤＬパケット１０は優先順位に従って順次網クロック１００に従い、セル／パケット多重化回路１０１によってセル／パケット多重される。セル／パケット多重化回路１０１においてはセル及びパケットを各緩衝記憶器から読み出された順番に配列し、その隙間には緩衝記憶器ＦＩＦＯ３からのＯＡＭパケットまたはスタッフパケット２２が挿入され、しかして、ある定められた周期の仮想フレーム２０が構成される。この仮想フレーム２０の構成例を図２に示す。構成された仮想フレーム２０は自己同期型スクランブラ（Ｓｅｌｆ  Ｓｙｎｃｈｒｏｎｉｚｅｄ  Ｓｃｒａｍｂｌｅｒ）１０２によりランダマイズされる。
【００３７】
受信側においては、受信側の逆の動作が行われる。すなわち、受信したデータから、クロック１００が抽出され、このクロック１００を元に自己同期型ディスクランブラ（Ｓｅｌｆ  Ｓｙｎｃｈｒｏｎｉｚｅｄ  Ｄｅｓｃｒａｍｂｌｅｒ）２０１を用いてランダマイズされたデータから元のデータが再生される。
【００３８】
再生されたデータはセル／パケット分離回路（Ｃｅｌｌ  Ｐａｃｋｅｔ  ＤＭＵＸ）２０２によってＡＴＭセル２１、ＵＤＬパケット１０及びＯＡＭパケットはそれぞれ優先順位を保ちながら分離される。
【００３９】
また、スタッフパケット２２は廃棄される。
【００４０】
ＡＴＭセル２１は緩衝記憶器ＦＩＦＯ４に出力され、更に上位レイヤに逆写像される。ＵＤＬパケット１０は緩衝記憶器ＦＩＦＯ５に出力され、更に上位レイヤに逆写像される。そしてＯＡＭパケットは緩衝記憶器ＦＩＦＯ６に出力される。送受信機の構成を図３に示す。
【００４１】
次に、自己同期型スクランブラ１０２／ディスクランブラ２０１の動作原理を説明する。
【００４２】
まず、代表的なスクランブラ／ディスクランブラの構成を図４に示す。
【００４３】
図４において、スクランブラ、ディスクランブラは両者共Ｍ段からなるフィードバックをおこなっているｎ段のシフトレジスタにより構成される。伝送路誤りが無い場合を想定すると、スクランブラとディスクランブラに入力される信号ビットは同一となることがわかる。
【００４４】
この結果、ディスクランブラはそのシフトレジスタが満杯になればスクランブラに同期する。ここで、フィードバックのタップがｊ段目とｎ段目から出ていると仮定する。この時、スクランブルされたデータ列は
Ａｍ  ＝（Ｂｍ  ＋Ａｍ−ｊ  ＋Ａｍ−ｎ  ）ｍｏｄ２
ディスクランブルされたシーケンスは、
Ｃｍ  ＝（Ａｍ  ＋Ａｍ−ｊ  ＋Ａｍ−ｎ  ）ｍｏｄ２
＝（Ｂｍ  ＋Ａｍ−ｊ  ＋Ａｍ−ｊ  ＋Ａｍ−ｎ  ）ｍｏｄ２
＝Ｂｍ
となり、ディスクランブルの出力は源シーケンスとなる。
【００４５】
【発明の効果】
本発明は以上のように構成され、作用するものであり、本発明によれば以下にら示す効果が得られる。
【００４６】
本発明では、新しく定義したデータリンクプロトコールであるユニバーサルデータリンク（ＵＤＬ）プロトコールを用い、このユニバーサルデータリンクＵＤＬ上にインターネットプロトコール（ＩＰ）を写像し、複数のＵＤＬパケットと複数のＡＴＭセルを混載することにより、音声、動画像、データ等のマルチトラフィックを収容することが可能となる。
【００４７】
また、一定周期の仮想フレームを構成することによって、この中でＡＴＭセル及びＵＤＬパケットの優先制御を行うことにより、サービス品質（ＱｏＳ）を保証することが可能となり、更にメトロＷＤＭのようにレイヤ１に物理層フレームが無い場合でも自己同期型スクランブラを採用することによって、完全な透過的伝送を保証することができる。
【図面の簡単な説明】
【図１】本発明に係るユニバーサルデータリンクＵＤＬのフレーム構成を示す図である。
【図２】本発明に係る仮想フレームの構成例を示す図である。
【図３】本発明に係る通信装置（送信機、受信機）の一実施の形態を示すブロック構成図である。
【図４】代表的なスクランブラ／ディスクランブラの構成を示すブロック図である。
【符号の説明】
１０…ＵＤＬパケット
２０…仮想フレーム
２１…ＡＴＭセル
２２…スタッフパケット
ＦＩＦＯ１〜ＦＩＦＯ６…緩衝記憶器
１００…クロック（Ｎｅｔｗｏｒｋ  Ｃｌｏｃｋ）
１０１…セル／パケット多重化回路（Ｃｅｌｌ  Ｐａｃｋｅｔ  ＭＵＸ）
１０２…自己同期型スクランブラ（Ｓｅｌｆ  Ｓｙｎｃｈｒｏｎｉｚｅｄ  Ｓｃｒａｍｂｌｅｒ）
２０１…自己同期型ディスクランブラ（Ｓｅｌｆ  Ｓｙｎｃｈｒｏｎｉｚｅｄ  Ｄｅｓｃｒａｍｂｌｅｒ）
２０２…セル／パケット分離回路（Ｃｅｌｌ  Ｐａｃｋｅｔ  ＤＭＵＸ）
【図１】
0003546797.tif 000002
【図２】
0003546797.tif 000003
【図３】
0003546797.tif 000004
【図４】
0003546797.tif 000005